(57)【要約】【課題】ギヤボックスから出力軸の外れを防止し、刈払機の保守・点検作業の迅速化。【解決手段】刈払機は、動力を駆動軸１７から駆動及び従動ベベルギヤ２１，２２と出力軸２３を介して刈刃１６に伝達する。ギヤボックス２４は、第１及び第２の軸受２７，２８で出力軸を支持する。第２の軸受は、ギヤボックスに対し刈刃の方向への移動が規制されるように係止部材２９で係止され、出力軸において刈刃を備えた部位２３ｄの近傍を支持する。出力軸は、従動ベベルギヤに対し相対回転が規制され且つ軸方向への相対移動が可能に連結されており、係止部材による第２の軸受の係止が外れたときに、第２の軸受と共に刈刃の方向へ移動可能である。抜止めストッパ４１は、係止部材の係止が外れたときに、従動ベベルギヤに対して出力軸の相対回転が可能となるまでだけ、出力軸が刈刃の方向へ移動することを許容する。【選択図】図２
2011083217.tif 000002
【特許請求の範囲】
【請求項１】
駆動源の動力を、駆動軸から駆動ベベルギヤ及び従動ベベルギヤを介して出力軸に伝達することで、この出力軸の一端部に備えた刈刃を回転させる刈払機において、
前記従動ベベルギヤは、ギヤボックスに対して、前記出力軸の軸方向への移動が規制され且つ収納されており、
前記ギヤボックスは、内部において第１の軸受及び第２の軸受を介して前記出力軸を支持するものであり、内部に抜止めストッパを有し、
前記第２の軸受は、前記ギヤボックスに対し前記刈刃の方向への移動が規制されるように係止部材によって係止され、前記出力軸において前記刈刃を備えた部位の近傍を支持するものであり、
前記出力軸は、前記従動ベベルギヤに対し相対回転が規制されるとともに前記軸方向への相対移動が可能に連結されており、前記係止部材による前記第２の軸受の係止状態が外れたときには、この第２の軸受と共に前記刈刃の方向へ移動可能であり、
前記抜止めストッパは、前記係止状態が外れたときに、前記従動ベベルギヤに対して前記出力軸の相対回転が可能となるまで、この出力軸が前記刈刃の方向へ移動することを許容するとともに、これ以上の移動を規制する部材であることを特徴とした刈払機。
【請求項２】
前記第１の軸受は、前記ギヤボックスに対し前記軸方向への移動が規制され、前記出力軸において前記刈刃を備えていない方の他端部を支持するものであり、
前記出力軸の前記他端部は、前記第１の軸受に対して前記刈刃とは反対側へ突出し、この突出した先端部位に前記抜止めストッパを設けており、
前記出力軸が前記刈刃の方向へ移動することで、前記抜止めストッパが前記第１の軸受に接したときに、前記従動ベベルギヤに対して前記出力軸の相対回転が可能となる構成であることを特徴とした請求項１記載の刈払機。
【発明の詳細な説明】
【技術分野】
【０００１】
本発明は、刈払機において、刈刃を備えた出力軸がギヤボックスから外れないようにした技術に関する。
【背景技術】
【０００２】
刈払機は、パイプ状の操作杆に駆動軸を通し、この駆動軸を操作杆の後端に設けた駆動源で駆動することにより、操作杆の前端に設けた刈刃を回転させるものである。このような刈払機には、肩掛け式刈払機や背負い式刈払機がある。例えば、肩掛け式刈払機の場合には、作業者は、身体の腰に沿わせた操作杆を斜め前方へ延ばすようにして、一方の肩に刈払機を吊り下げ、操作杆の途中に設けた操作ハンドルを握って上下左右に振ることにより、刈刃で雑草を刈る。このような刈払機としては、例えば下記の特許文献１に記載された技術が知られている。
【０００３】
この特許文献１で知られている刈払機は、パイプ状の操作杆の前端にギヤボックスを設け、このギヤボックスにベベルギヤユニットを内蔵したものである。駆動源の動力を、駆動軸から駆動ベベルギヤ及び従動ベベルギヤを介して出力軸に伝達することで、この出力軸の一端部に備えた刈刃を回転させることができる。
【０００４】
ギヤボックスは、刈刃に臨む端面が開放している。この開放された端面から、出力軸及びベベルギヤユニットが組込まれる。出力軸は、上下２個の軸受を介してギヤボックスに支持されるとともに、開放された端面から下方へ突出した下端部に組付け部材を介して刈刃が取り付けられる。刈刃に隣接している下側の軸受は、ギヤボックスに止め輪によって止められている。開放された端面と組付け部材との間は、ラビリンス機構によってシールされる。このラビリンス機構は、刈払機を用いた作業中に刈草や小石等の異物がギヤボックスの中へ侵入することを、抑制する効果がある。
【０００５】
ところで、ラビリンス機構は隙間が極めて小さい。刈払機を長期に使用していると、ラビリンス機構に異物の噛み込みや巻き付きが発生し得る。このため、刈払機を長期にわたって使用していると、ギヤボックスにおける開放された端面が摩耗する。長期にわたって摩耗が進行すると、刈刃に隣接している下側の軸受を止めている止め輪が、ギヤボックスから下方へ外れる。この結果、下側の軸受と出力軸がギヤボックスから下方へ外れることが想定される。
【０００６】
これに対し、特許文献１で知られている刈払機は、出力軸において刈刃を備えていない方の上端部に、予備の止め輪を取付けている。この予備の止め輪は、上側の軸受における内輪の上面に接しているので、下側の軸受を止めている止め輪が外れた場合であっても、出力軸を保持する。出力軸は下方へ移動しないので、ギヤボックスから下方へ外れることがない。駆動源の動力が、ベベルギヤユニットから出力軸に伝達され続けるので、刈刃は回転し続ける。しかし、下側の軸受を止めている止め輪が外れた状況は、刈払機の保守・点検上の観点から、作業者が認識できることが好ましい。
【先行技術文献】
【特許文献】
【０００７】
【特許文献１】特開２００５−２３７２６５号公報
【発明の概要】
【発明が解決しようとする課題】
【０００８】
本発明は、ギヤボックスから出力軸の外れを防止できるとともに、刈払機の保守・点検を速やかに行うことができる技術を、提供することを課題とする。
【課題を解決するための手段】
【０００９】
請求項１に係る発明は、駆動源の動力を、駆動軸から駆動ベベルギヤ及び従動ベベルギヤを介して出力軸に伝達することで、この出力軸の一端部に備えた刈刃を回転させる刈払機において、
前記従動ベベルギヤは、ギヤボックスに対して、前記出力軸の軸方向への移動が規制され且つ収納されており、
前記ギヤボックスは、内部において第１の軸受及び第２の軸受を介して前記出力軸を支持するものであり、内部に抜止めストッパを有し、
前記第２の軸受は、前記ギヤボックスに対し前記刈刃の方向への移動が規制されるように係止部材によって係止され、前記出力軸において前記刈刃を備えた部位の近傍を支持するものであり、
前記出力軸は、前記従動ベベルギヤに対し相対回転が規制されるとともに前記軸方向への相対移動が可能に連結されており、前記係止部材による前記第２の軸受の係止状態が外れたときには、この第２の軸受と共に前記刈刃の方向へ移動可能であり、
前記抜止めストッパは、前記係止状態が外れたときに、前記従動ベベルギヤに対して前記出力軸の相対回転が可能となるまで、この出力軸が前記刈刃の方向へ移動することを許容するとともに、これ以上の移動を規制する部材であることを特徴とする。
【００１０】
請求項２に係る発明では、請求項１において、前記第１の軸受は、前記ギヤボックスに対し前記軸方向への移動が規制され、前記出力軸において前記刈刃を備えていない方の他端部を支持するものであり、前記出力軸の前記他端部は、前記第１の軸受に対して前記刈刃とは反対側へ突出し、この突出した先端部位に前記抜止めストッパを設けており、前記出力軸が前記刈刃の方向へ移動することで、前記抜止めストッパが前記第１の軸受に接したときに、前記従動ベベルギヤに対して前記出力軸の相対回転が可能となる構成であることを特徴とする。
【発明の効果】
【００１１】
請求項１に係る発明では、何らかの要因によって、係止部材による第２の軸受の係止状態が外れたときに、抜止めストッパは、従動ベベルギヤに対して出力軸の相対回転が可能となるまでだけ、つまり所定の一定量だけ、出力軸が刈刃の方向へ移動することを許容する。さらに、抜止めストッパは、ギヤボックスに対して、出力軸が刈刃の方向へ一定量を越えて移動することを規制する。このため、出力軸がギヤボックスから外れることはない。出力軸に対して従動ベベルギヤは空転するだけであり、出力軸に動力を伝達しない。刈刃は草などの抵抗によって速やかに停止する。作業者は、刈刃が停止した状況を速やかに認知することができ、この結果、刈払機の保守・点検を速やかに行うことができる。
【００１２】
請求項２に係る発明では、出力軸が刈刃の方向へ移動することで、抜止めストッパが第１の軸受に接したときに、従動ベベルギヤに対して出力軸の相対回転が可能となる。このように、第１の軸受に対して、出力軸の他端部を刈刃とは反対側へ突出させ、この突出した先端部位に抜止めストッパを設けただけの、簡単な構成によって、出力軸が刈刃の方向へ一定量を越えて移動することを規制することができる。
【図面の簡単な説明】
【００１３】
【図１】本発明に係る実施例１の刈払機の使用状態を示す説明図である。
【図２】図１に示される伝動ユニット及び刈刃周りの断面図である。
【図３】図２に示される出力軸の側面図である。
【図４】図２に示される出力軸と従動ベベルギヤと第１の軸受の関係を示す説明図である。
【図５】図２に示される出力軸と従動ベベルギヤと第１の軸受の作用説明図である。
【図６】本発明に係る実施例２の刈払機のギヤボックス周りの要部断面図である。
【図７】本発明に係る実施例３の刈払機のギヤボックス周りの要部断面図である。
【発明を実施するための形態】
【００１４】
本発明を実施するための形態を添付図に基づいて以下に説明する。
【実施例１】
【００１５】
実施例１に係る刈払機について、図１〜図５に基づき説明する。
図１に示すように、刈払機１０は、操作杆１１の長手途中に肩掛け用吊りベルト１２及びバーハンドル１３を備えた形式の、肩掛け式刈払機である。作業者Ｍａは、肩掛け用吊りベルト１２を肩に掛けることで刈払機１０を吊り下げることができる。そして、バーハンドル１３のグリップ１４を握って、操作杆１１を前後左右に振りながら、駆動源１５によって刈刃１６を回転させることにより、雑草ｇｒを刈ることができる。
【００１６】
この刈払機１０は、パイプ状の操作杆１１と、操作杆１１の一端部１１ａに設けられた駆動源１５と、操作杆１１の中に回転可能に通された駆動軸１７と、操作杆１１の他端部１１ｂに設けられた伝動ユニット２０と、伝動ユニット２０に設けられた刈刃１６とからなる。駆動源１５は、駆動軸１７を駆動するエンジンから成る。駆動源１５が発生した動力は、駆動軸１７及び伝動ユニット２０を介して刈刃１６に伝達される。
【００１７】
図２に示すように、伝動ユニット２０は、駆動軸１７の端部１７ａに連結された駆動ベベルギヤ２１と、この駆動ベベルギヤ２１に噛み合わされた従動ベベルギヤ２２と、この従動ベベルギヤ２２に連結された出力軸２３と、操作杆１１の他端部１１ｂに取り付けられたギヤボックス２４とからなる。
【００１８】
ギヤボックス２４は、刈刃１６に臨む一端２４ａ（開放端２４ａ）が開放された有底の収納部であり、駆動軸１７の端部１７ａと、駆動及び従動ベベルギヤ２１，２２と、出力軸２３の大部分とを収納している。従動ベベルギヤ２２及び出力軸２３は、開放端２４ａからギヤボックス２４に組込まれる。なお、ギヤボックス２４は、刈払機１０の軽量化を図るために、アルミニウム合金等の軽合金のダイカスト品とすることが好ましい。
【００１９】
作業者Ｍａ（図１参照）が立ち姿勢で刈払機１０を用いて作業をするときに、出力軸２３は概ね鉛直になる。この場合の作業性を考慮して、駆動ベベルギヤ２１と従動ベベルギヤ２２との軸角θは、６０°程度の鈍角に設定されている。軸角θとは、駆動ベベルギヤ２１の軸Ｌ１（駆動軸１７の中心線Ｌ１）と従動ベベルギヤ２２の軸Ｌ２（出力軸２３の中心線Ｌ２）とを一致させるのに要する、最小の角度のことである。
【００２０】
駆動軸１７に対して、駆動ベベルギヤ２１のボス２１ａは相対回転が規制されて連結される。このボス２１ａは、軸受２５，２６を介してギヤボックス２４に回転可能に支持されるとともに、ギヤボックス２４に対して駆動軸１７の軸方向への相対移動が規制されている。軸受２５，２６は、ボールベアリング等の転がり軸受からなる。駆動ベベルギヤ２１は、軸受２５，２６に圧入した状態で、操作杆１１の他端部１１ｂ側からギヤボックス２４に組込まれる。
【００２１】
図２及び図３に示すように、出力軸２３は、軸方向（中心線Ｌ２の方向）の一端面２３ａから他端面２３ｂにかけて、雄ねじ２３ｃと刈刃装着部２３ｄと第２の被支持部２３ｅと位置決め大径部２３ｆと離間部２３ｇとギヤ装着部２３ｈと第１の被支持部２３ｉと延長部２３ｊとを、この順に配置するとともに一体に形成した回転軸である。
【００２２】
雄ねじ２３ｃ及び刈刃装着部２３ｄは、出力軸２３の一端部２３Ｅａをなす。この一端部２３Ｅａは、刈刃１６を備えている方の端部である。第１の被支持部２３ｉ及び延長部２３ｊは、出力軸２３の他端部２３Ｅｂをなす。この他端部２３Ｅｂは、刈刃１６を備えていない方の端部である。
【００２３】
刈刃装着部２３ｄは、刈刃１６を取付けるために、ギヤボックス２４の開放端２４ａから外方へ突出する部分である。第２の被支持部２３ｅは、刈刃装着部２３ｄに隣接して他端面２３ｂ寄りに位置する部分である。位置決め大径部２３ｆは、第２の被支持部２３ｅに隣接して他端面２３ｂ寄りに位置する部分であり、第２の被支持部２３ｅや離間部２３ｇよりも大径である。離間部２３ｇは、位置決め大径部２３ｆに隣接して他端面２３ｂ寄りに位置しており、第２の被支持部２３ｅとギヤ装着部２３ｈとの間に一定の距離を確保するための部分である。ギヤ装着部２３ｈは、離間部２３ｇに隣接して他端面２３ｂ寄りに位置しており、従動ベベルギヤ２２を装着するための部分である。このギヤ装着部２３ｈの径は、離間部２３ｇの径よりも小径である。このため、離間部２３ｇとギヤ装着部２３ｈとの境界には段差面２３ｋが形成される。第１の被支持部２３ｉは、ギヤ装着部２３ｈに隣接して他端面２３ｂ寄りに位置する部分であり、ギヤ装着部２３ｈよりも小径である。延長部２３ｊは、第１の被支持部２３ｉをそのまま他端面２３ｂまで延ばした部分であり、他端面２３ｂの近傍における外周面に環状の嵌合溝２３ｍを有する。
【００２４】
出力軸２３の他端面２３ｂは、ギヤボックス２４の内部において、開放端２４ａとは反対側の底部２４ｂ近傍に位置する。この出力軸２３は、第１の軸受２７及び第２の軸受２８を介して、ギヤボックス２４の内部に回転可能に支持される。第１及び第２の軸受２７，２８は、ボールベアリング等の転がり軸受からなる。
【００２５】
第１の軸受２７は、ギヤボックス２４の内部において、駆動ベベルギヤ２１よりも出力軸２３の他端面２３ｂ側に位置しており、第１の被支持部２３ｉ（他端部２３Ｅｂ）を支持する。この第１の軸受２７は、ギヤボックス２４に対して、開放端２４ａとは反対側への移動が規制されている。
【００２６】
従動ベベルギヤ２２は、ギヤ装着部２３ｈにスプライン（雄・雌スプライン同士の嵌合）によって連結されることにより、出力軸２３に対する相対回転が規制されている。さらに、この従動ベベルギヤ２２は、段差面２３ｋと第１の軸受２７の内輪とによって、軸方向の両側から挟み込まれるとともに、駆動ベベルギヤ２１に対して第１の軸受２７側から噛み合うように位置している。このため、従動ベベルギヤ２２は、出力軸２３の一端面２３ａ側への移動を駆動ベベルギヤ２１によって規制されるとともに、出力軸２３の他端面２３ｂ側への移動を第１の軸受２７によって規制される。つまり、従動ベベルギヤ２２は、ギヤボックス２４に対して、出力軸２３の軸方向への移動が規制され且つ収納されている。上述のように、従動ベベルギヤ２２が、出力軸２３の一端面２３ａ側への移動を規制されるので、第１の軸受２７も一端面２３ａ側への移動を規制される。
【００２７】
第２の軸受２８は、ギヤボックス２４の内部において開放端２４ａの近傍に位置しており、刈刃１６を備えた部位２３ｄの近傍、つまり第２の被支持部２３ｅを支持する。この第２の軸受２８は、ギヤボックス２４に対して開放端２４ａ側へ、つまり、刈刃１６の方向への移動が規制されるように、係止部材２９によって係止されている（止められている）。この係止部材２９は、例えば止め輪によって構成される。この止め輪２９は、ギヤボックス２４の内壁面２４ｃに形成されている輪状の溝に、嵌め込まれることによって取り付けられ、ギヤボックス２４内の所定位置に第２の軸受２８の外輪を係止する。
【００２８】
刈刃１６は、一対の挟み込み部材３１，３２によって刈刃装着部２３ｄに取り付けられる、円盤状の刃である。一対の挟み込み部材３１，３２は、ギヤボックス２４側に位置する第１の挟み込み部材３１、及び、刈刃１６に対して第１の挟み込み部材３１とは反対側に位置する第２の挟み込み部材３２からなる。これら一対の挟み込み部材３１，３２は、刈刃１６を表裏両面から挟み込んだ状態で、刈刃装着部２３ｄにスプラインによって連結されている。このため、刈刃装着部２３ｄに対して、刈刃１６及び一対の挟み込み部材３１，３２は相対回転が規制され且つ軸方向への相対移動が可能である。
【００２９】
さらに、雄ねじ２３ｃにナット３３を締め付けることにより、刈刃１６、一対の挟み込み部材３１，３２及び第２の軸受２８の内輪は、位置決め大径部２３ｆとナット３３とによって挟み込まれ、この結果、出力軸２３に位置決めされた状態で組付けられる。このため、刈刃１６及び第２の軸受２８は、出力軸２３に対して軸方向への相対的な移動が規制される。
【００３０】
以上の説明から明らかなように、出力軸２３は、一端面２３ａ側への移動を第２の軸受２８及び係止部材２９によって規制されるとともに、他端面２３ｂ側への移動を従動ベベルギヤ２２及び第１の軸受２７によって規制される。つまり、出力軸２３は、ギヤボックス２４に対して、軸方向への移動が規制されている。
【００３１】
図２に示すように、第１の挟み込み部材３１は、ギヤボックス２４の開放端２４ａに隣接している。開放端２４ａと第１の挟み込み部材３１との間は、ラビリンス機構３４によってシールされる。このラビリンス機構３４は、刈払機１０を用いた作業中に刈草や小石等の異物がギヤボックス２４の中へ侵入することを抑制するものであって、迷路状の小さい隙間によって構成されている。
【００３２】
ところで、図２に示すように、出力軸２３の他端部２３Ｅｂは、第１の軸受２７に対して刈刃１６とは反対側へ突出し、この突出した先端部位２３ｊ、つまり延長部２３ｊに抜止めストッパ４１を設けている。この抜止めストッパ４１は、ギヤボックス２４の内部に有しており、例えば止め輪によって構成される。この止め輪４１は、嵌合溝２３ｍ（図４参照）に嵌め込まれることによって、延長部２３ｊに取り付けられる。
【００３３】
図２及び図４に示すように、出力軸２３がギヤボックス２４に組付けられた状態において、止め輪４１の下端面は、第１の軸受２７における内輪の上端面から他端面２３ｂの方へ所定の距離Ｘ１（離間寸法Ｘ１）だけ離れている。これに対し、従動ベベルギヤ２２のボス２２ａの長さ、つまり、ギヤ装着部２３ｈに対してスプラインによって連結されるボス２２ａの連結長さはＸ２である。このボス２２ａの長さＸ２に対して、離間寸法Ｘ１は大きく設定されている（Ｘ１＞Ｘ２）。
【００３４】
次に、上記構成の伝動ユニット２０の作用を説明する。
図２に示すように、駆動源１５（図１参照）が発生した動力は駆動軸１７、駆動ベベルギヤ２１、従動ベベルギヤ２２、従動ベベルギヤ２２とギヤ装着部２３ｈとの間のスプライン連結部分、出力軸２３、一対の挟み込み部材３１，３２の経路によって、刈刃１６に伝達される。
【００３５】
刈払機１０（図１参照）を長期に使用していると、ラビリンス機構３４に異物の噛み込みや巻き付きが発生することによって、ギヤボックス２４の開放端２４ａが摩耗し得る。長期にわたって摩耗が進行すると、刈刃１６に隣接している第２の軸受２８を止めている止め輪２９が、ギヤボックス２４から下方へ外れる。止め輪２９による第２の軸受２８の係止状態が外れたときに、この第２の軸受２８及び出力軸２３は、ギヤボックス２４に対して刈刃１６側へ移動し得る。一方、ギヤボックス２４に対して、第１の軸受２７及び従動ベベルギヤ２２は、出力軸２３の軸方向へ移動しない。
【００３６】
出力軸２３が刈刃１６の方向へ図４に示す所定の一定量Ｘ１（離間寸法Ｘ１）だけ移動した結果、図５に示すように、止め輪４１（抜止めストッパ４１）は第１の軸受２７の内輪に接する。つまり、止め輪４１は第１の軸受２７に当たることによって、出力軸２３をギヤボックス２４の内部に係止する。このように、止め輪４１は離間寸法Ｘ１だけ、出力軸２３が刈刃１６の方向へ移動することを許容する。
【００３７】
上記図４において説明したように、従動ベベルギヤ２２のボス２２ａの長さＸ２に対して、離間寸法Ｘ１は大きい。出力軸２３が離間寸法Ｘ１だけ移動することによって、図５に示すように、止め輪４１が第１の軸受２７に接したときに、従動ベベルギヤ２２に対してスプラインによる出力軸２３の連結が外れる。この結果、従動ベベルギヤ２２に対して、出力軸２３の相対回転が可能となる。
【００３８】
このように、止め輪４１は、係止部材２９による第２の軸受２８の係止状態が外れたときに、従動ベベルギヤ２２に対して出力軸２３の相対回転が可能となるまで、この出力軸２３が刈刃１６の方向へ移動することを許容する。さらに、止め輪４１は、ギヤボックス２４に対して、出力軸２３が刈刃１６の方向へ離間寸法Ｘ１を越えて移動することを規制する。このため、出力軸２３がギヤボックス２４から外れることはない。出力軸２３に対して従動ベベルギヤ２２は空転するだけであり、出力軸２３に動力を伝達しない。刈刃１６は草などの抵抗によって速やかに停止する。作業者は、刈刃１６が停止した状況を速やかに認知することができ、この結果、刈払機１０の保守・点検を速やかに行うことができる。
【００３９】
さらには、第１の軸受２７に対して、出力軸２３の他端部２３Ｅｂを刈刃１６とは反対側へ突出させ、この突出した先端部位２３ｊ、つまり延長部２３ｊに止め輪４１を設けただけの、簡単な構成によって、出力軸２３が刈刃１６の方向へ離間寸法Ｘ１を越えて移動することを規制することができる。
【実施例２】
【００４０】
実施例２に係る刈払機について図６に基づき説明する。実施例２の刈払機１０は、抜止めストッパ４１Ａをナットによって構成したことを特徴とする。このナット４１Ａは、上記図４に示す実施例１の止め輪４１の代わりに、出力軸２３の延長部２３ｊに設けられる。延長部２３ｊにおいて、他端面２３ｂの近傍における外周面には、ナット４１Ａをねじ込むための雄ねじ２３ｐが形成されている。雄ねじ２３ｐの外径は、延長部２３ｊの径よりも小径である。このため、延長部２３ｊと雄ねじ２３ｐとの間には段差面２３ｒを有する。ナット４１Ａは、段差面２３ｒの位置まで雄ねじ２３ｐにねじ込まれた上で、止め輪等のロック部材４２により、雄ねじ２３ｐに対して回り止めされる。
【００４１】
ナット４１Ａの下端面、つまり段差面２３ｒは、第１の軸受２７の上端面から他端面２３ｂの方へ所定の距離Ｘ１（離間寸法Ｘ１）だけ離れている。この離間寸法Ｘ１の大きさは、上記図４に示す実施例１の離間寸法Ｘ１と同一である。実施例２の抜止めストッパ４１Ａは、実施例１の抜止めストッパ４１と同じ作用、効果をなす。なお、実施例２の刈払機１０において、その他の構成については、上記実施例１の刈払機１０と同じ構成であり、説明を省略する。
【実施例３】
【００４２】
実施例３に係る刈払機について図７に基づき説明する。実施例３の刈払機１０は、抜止めストッパ４１Ｂをピンによって構成したことを特徴とする。このピン４１Ｂは、上記図４に示す実施例１の止め輪４１の代わりに、出力軸２３の延長部２３ｊに設けられる。延長部２３ｊにおいて、他端面２３ｂの近傍には、ピン４１Ｂを嵌合するためのピン孔２３ｓが形成されている。このピン孔２３ｓは、出力軸２３の軸方向に対して直交する方向に開けられた貫通孔である。ピン２３ｓの長さは延長部２３ｊの径よりも大きい。ピン４１Ｂは、ピン孔２３ｓに圧入されることによって、延長部２３ｊに取り付けられる。
【００４３】
延長部２３ｊに取り付けられた状態のピン４１Ｂの下端面は、第１の軸受２７の上端面から他端面２３ｂの方へ所定の距離Ｘ１（離間寸法Ｘ１）だけ離れている。この離間寸法Ｘ１の大きさは、上記図４に示す実施例１の離間寸法Ｘ１と同一である。実施例３の抜止めストッパ４１Ｂは、実施例１の抜止めストッパ４１と同じ作用、効果をなす。なお、実施例３の刈払機１０において、その他の構成については、上記実施例１の刈払機１０と同じ構成であり、説明を省略する。
【００４４】
なお、本発明では、刈払機１０は肩掛け式刈払機に限定されるものではなく、例えば作業者Ｍａが背中に駆動源を背負う形式の背負い式刈払機の構成であってもよい。
【００４５】
また、抜止めストッパ４１，４１Ａ，４１Ｂは、出力軸２３が刈刃１６の方向へ一定量Ｘ１だけ移動したとき、これ以上の移動を規制するように、出力軸２３をギヤボックス２４の内部に係止する構成であればよい。つまり、抜止めストッパ４１，４１Ａ，４１Ｂは、第１の軸受２７に当たることによって、出力軸２３をギヤボックス２４の内部に係止する構成に限定されるものではない。例えば、抜止めストッパ４１，４１Ａ，４１Ｂがギヤボックス２４の内部（内壁面２４ｃ等）に直接に当たる構成でもよい。
【産業上の利用可能性】
【００４６】
本発明の刈払機１０における伝動ユニット２０は、肩掛け式刈払機や背負い式刈払機に用いるのに好適である。
【符号の説明】
【００４７】
１０…刈払機、１５…駆動源、１６…刈刃、１７…駆動軸、２０…伝動ユニット、２１…駆動ベベルギヤ、２２…従動ベベルギヤ、２３…出力軸、２３Ｅａ…一端部、２３Ｅｂ…他端部、２３ｄ…刈刃を備えた部位（刈刃装着部）、２３ｊ…先端部位（延長部）、２４…ギヤボックス、２４ａ…開放端、２７…第１の軸受、２８…第２の軸受、２９…係止部材（止め輪）、３４…ラビリンス機構、４１…抜止めストッパ（止め輪）、４１Ａ…抜止めストッパ（ナット）、４１Ｂ…抜止めストッパ（ピン）、Ｘ１…離間寸法、Ｘ２…従動ベベルギヤのボスの長さ。
【図１】
2011083217.tif 000003
【図２】
2011083217.tif 000004
【図３】
2011083217.tif 000005
【図４】
2011083217.tif 000006
【図５】
2011083217.tif 000007
【図６】
2011083217.tif 000008
【図７】
2011083217.tif 000009